(57)【要約】【課題】  剥離作業が片手でできるとともに、シート状パッキンを補充するための段取り作業の短縮化を図ることができるパッキン剥離装置を実現する。【解決手段】  前側支持部材２１は、シート状パッキン１０が下側支持部材２２によって支持されている状態のときに、少なくとも最下端のパッキン１１ａの前面を露出するようになっており、取出し部２０ａから最下端のパッキン１１ａを剥がすときに、そのすぐ上のパッキン１１ｂが前側支持部材２１によって支持されることで、取出し部２０ａからパッキン１１ａを剥がすことが可能であるとともに、そのパッキン１１ａを剥がしたときに、今度はそのすぐ上のパッキン１１ｂが露出部分に対応する位置に落下するように構成された。これにより、剥離作業が片手でできる。【選択図】        図２
2006256847.tif 000002
【特許請求の範囲】
【請求項１】
裏紙に複数のパッキン（１１）を連続して貼ってなるシート状パッキン（１０）から個々のパッキン（１１）を順番に剥がすためのパッキン剥離装置であって、
前記複数のパッキン（１１）のうちの最下端のパッキン（１１ａ）の下端部を支持する下側支持部材（２２）と、
前記シート状パッキン（１０）の前面を支持する前側支持部材（２１）とを備え、
前記前側支持部材（２１）は、前記シート状パッキン（１０）が前記下側支持部材（２２）によって支持されている状態のときに、少なくとも前記最下端のパッキン（１１ａ）の前面を露出するようになっており、前記露出部分から前記最下端のパッキン（１１ａ）を剥がすときに、そのすぐ上のパッキン（１１ｂ）が前記前側支持部材（２１）によって支持されることで、前記露出部分から前記パッキン（１１ａ）を剥がすことが可能であるとともに、そのパッキン（１１ａ）を剥がしたときに、今度はそのすぐ上のパッキン（１１ｂ）が前記露出部分に対応する位置に落下するように構成されたことを特徴とするパッキン剥離装置。
【請求項２】
前記下側支持部材（２２）は、前記最下端のパッキン（１１ａ）を剥がしたときに、残された裏紙を排出するように構成されたことを特徴とする請求項１に記載のパッキン剥離装置。
【請求項３】
前記シート状パッキン（１０）の裏紙面側を支持する裏側支持部材（２３）が設けられ、
前記シート状パッキン（１０）は、前記前側支持部材（２１）と前記裏側支持部材（２３）との間に、前記最下端のパッキン（１１ａ）の下端部が重力方向に向けて収容されていることを特徴とする請求項１に記載のパッキン剥離装置。
【請求項４】
前記下側支持部材（２２）は、上端が前記最下端のパッキン（１１ａ）の下端部を支持するように形成され、さらに前記残された裏紙が浸入しやすいように形成されていることを特徴とする請求項２に記載のパッキン剥離装置。
【請求項５】
補充用シート状パッキン（１０ａ）を支持する補充用トレー部（３０）が設けられ、
前記補充用トレー部（３０）は、前記最下端のパッキン（１１ａ）を剥がしたときに、前記補充用シート状パッキン（１０ａ）の最下端が、前記シート状パッキン（１０）の最上端のパッキン（１１ｃ）に隣接する位置に落下するように構成されたことを特徴とする請求項１ないし請求項４のいずれか一項に記載のパッキン剥離装置。
【請求項６】
前記前側支持部材（２１）は、前記シート状パッキン（１０）の残量が視認できるように形成していることを特徴とする請求項１ないし請求項５のいずれか一項に記載のパッキン剥離装置。
【発明の詳細な説明】
【技術分野】
【０００１】
本発明は、裏紙に複数のパッキンを連続して貼ってなるシート状パッキンから個々のパッキンを順番に剥がすためのパッキン剥離装置に関する。
【背景技術】
【０００２】
従来、シート状パッキンから個々のパッキンを順番に剥がすための装置として、例えば、図７（ａ）に示すように、裏紙に複数のパッキン１１０を連続して貼ってなるシート状パッキン１００の一端をバインダークリップ１２０に止めておいて、その他端から個々のパッキン１１０を順番に剥がすように行っていた。
【発明の開示】
【発明が解決しようとする課題】
【０００３】
しかしながら、上記装置によれば、片手で一方の裏紙１００ａの浮き上がりを押さえながら、もう一方の片手で個々のパッキン１１０を裏紙１００ａから剥がすようにしていた。そして、最後のひとつのときは、両手でバインダークリップ１２０から外して裏紙１００ａを剥がすように行っていた。つまり、いずれの剥離作業においても、片手ではパッキン１１０を裏紙１００ａから剥がすことはできない問題がある。なお、両手で行うよりも片手で行う方が剥離作業の作業時間を低減できる。
【０００４】
また、一つのシート状パッキン１００を使い終わったときに、図７（ｂ）に示すように、次のシート状パッキン１００をバインダークリップ１２０に止めるための段取り作業が必要であった。つまり、剥離作業の中途に段取り作業が増えることでパッキン組付け作業の作業遅れの要因となっていた。
【０００５】
さらに、バインダークリップ１２０で末端のパッキン１１０を押さえてしまうため最後の一つが使用できなくなる恐れもあった。
【０００６】
そこで、本発明の目的は、上記点を鑑みたものであり、剥離作業が片手でできるとともに、シート状パッキンを補充するための段取り作業の短縮化を図ることができるパッキン剥離装置を提供することにある。
【課題を解決するための手段】
【０００７】
上記目的を達成するために、請求項１ないし請求項６に記載の技術的手段を採用する。すなわち、請求項１に記載の発明では、裏紙に複数のパッキン（１１）を連続して貼ってなるシート状パッキン（１０）から個々のパッキン（１１）を順番に剥がすためのパッキン剥離装置であって、
複数のパッキン（１１）のうちの最下端のパッキン（１１ａ）の下端部を支持する下側支持部材（２２）と、シート状パッキン（１０）の前面を支持する前側支持部材（２１）とを備え、前側支持部材（２１）は、シート状パッキン（１０）が下側支持部材（２２）によって支持されている状態のときに、少なくとも最下端のパッキン（１１ａ）の前面を露出するようになっており、露出部分から最下端のパッキン（１１ａ）を剥がすときに、そのすぐ上のパッキン（１１ｂ）が前側支持部材（２１）によって支持されることで、露出部分からパッキン（１１ａ）を剥がすことが可能であるとともに、そのパッキン（１１ａ）を剥がしたときに、今度はそのすぐ上のパッキン（１１ｂ）が露出部分に対応する位置に落下するように構成されたことを特徴としている。
【０００８】
この発明によれば、パッキン（１１ａ）を片手で剥がすことが容易にできる。これにより、両手で行うよりも片手で行う方が剥離作業の作業時間の短縮が図れる。また、パッキン（１１ａ）を剥がしたときに、そのすぐ上のパッキン（１１ｂ）が露出部分に対応する位置に落下するように構成されたことにより、送り装置などの複雑な送り機構を必要とせず、例えば、パッキン（１１ａ）を取り出したときにすぐ上のパッキン（１１ｂ）が、達磨落としのように落ちるようにすればよいため、前側支持部材（２１）と裏側支持部材（２３）とが簡素な構造で構成できる。
【０００９】
請求項２に記載の発明では、下側支持部材（２２）は、最下端のパッキン（１１ａ）を剥がしたときに、残された裏紙を排出するように構成されたことを特徴としている。この発明によれば、作業者が直接裏紙に触れることなく残された裏紙を容易に排出することができる。
【００１０】
請求項３に記載の発明では、シート状パッキン（１０）の裏紙面側を支持する裏側支持部材（２３）が設けられ、シート状パッキン（１０）は、前側支持部材（２１）と裏側支持部材（２３）との間に、最下端のパッキン（１１ａ）の下端部が重力方向に向けて収容されていることを特徴としている。
【００１１】
この発明によれば、より具体的には、シート状パッキン（１０）の三面のうち、少なくとも最下端のパッキン（１１ａ）の下端部を支持するように構成することで、次に剥がされるパッキン（１１ｂ）が同じ露出部分に配置させることができる。
【００１２】
請求項４に記載の発明では、下側支持部材（２２）は、上端が最下端のパッキン（１１ａ）の下端部を支持するように形成され、さらに残された裏紙が浸入しやすいように形成されていることを特徴としている。この発明によれば、例えば、パッキン（１１ａ）の下端部を支持する上端を、さらに間口が広がるように形成すれば、残された裏紙を容易に浸入させることができる。
【００１３】
また、シート状パッキン（１０）の最後の一つを剥がすときは、前側支持部材（２１）で押さえることができないが、このときは下側支持部材（２２）で裏紙側が引っ張れないようにすることで、パッキン（１１ａ）を片手で剥がすことが容易にできる。
【００１４】
請求項５に記載の発明では、補充用シート状パッキン（１０ａ）を支持する補充用トレー部（３０）が設けられ、この補充用トレー部（３０）は、最下端のパッキン（１１ａ）を剥がしたときに、補充用シート状パッキン（１０ａ）の最下端が、シート状パッキン（１０）の最上端のパッキン（１１ｃ）に隣接する位置に落下するように構成されたことを特徴としている。
【００１５】
この発明によれば、剥離作業中に補充用シート状パッキン（１０ａ）を補充するための段取り作業ができるとともに、その段取り作業が補充用トレー部（３０）に補充用シート状パッキン（１０ａ）を配置するだけで良い。これにより、段取り作業の大幅な短縮化が図れる。
【００１６】
請求項６に記載の発明では、前側支持部材（２１）は、シート状パッキン（１０）の残量が視認できるように形成していることを特徴としている。この発明によれば、シート状パッキン（１０）の残量度合いが視覚により容易に検出できるとともに、補充用シート状パッキン（１０ａ）を配置する段取り作業のタイミングが容易に検出できる。
【００１７】
なお、上記各手段の括弧内の符号は、後述する実施形態の具体的手段との対応関係を示すものである。
【発明を実施するための最良の形態】
【００１８】
（第１実施形態）
以下、本発明の第１実施形態におけるパッキン剥離装置を図１ないし図４に基づいて説明する。図１はパッキン剥離装置の全体構成を示す斜視図であり、図２（ａ）は本発明の主要部の構成を示す縦断面図であり、（ｂ）はパッキン１１ａを剥がしたときのシート状パッキン１０の落下形態を説明する説明図である。
【００１９】
また、図３はシート状パッキン１０の全体構成を示す模式図であり、図４は補充用トレー部３０の概略構成を示す縦断面図である。シート状パッキン１０は、図３に示すように、複数のパッキン１１を一枚の裏紙１０ｂに連続して接着で貼ったもので構成しており、全体の形状が略矩形状に形成されている。
【００２０】
本実施形態のパッキン剥離装置は、このシート状パッキン１０から個々のパッキン１１を順番に剥がすための装置であって、図１に示すように、大別して支持部２０、補充用トレー部３０、および固定部４０から構成されている。
【００２１】
まず、固定部４０は、後述する支持部２０と補充用トレー３０ａとを一体に構成するとともに、剥離装置全体をコンベアラインの所定の固定位置に固定するための固定金具であって、ここでは、例えば、２本のパイプ状からなる吊り金具に支持部２０と補充用トレー３０ａとを固定させて、吊り金具の上端を所定の固定位置に固定するように形成している。
【００２２】
つまり、パッキン剥離装置をパッキン１１の組付け作業を行うコンベアラインの近傍に配置するように形成して支持部２０に収容されたシート状パッキン１０から片手で個々のパッキン１１を剥がすように構成している。
【００２３】
支持部２０は、シート状パッキン１０を収容するとともに、露出部分である取出し部２０ａに配置された最下端のパッキン１１ａを片手で剥がすことのできるように構成し、そのパッキン１１ａを剥がしたときに、残された裏紙１０ｂを排出するとともに今度はそのすぐ上のパッキン１１ｂが取出し部２０ａに対応する位置に落下するように構成している。
【００２４】
これを具体的に説明すると、支持部２０は、図２（ａ）に示すように、前側支持部材２１、下側支持部材２２および裏側支持部材２３から構成している。これらの部材２１、２２、２３は、ステンレス材もしくはアルミニウム材からなる板状の金属材料で形成されており、裏側支持部材２３はシート状パッキン１０の裏紙１０ｂ面側を支持するように垂直方向に延びる平板状に形成した背板である。
【００２５】
そして、シート状パッキン１０の前面側を支持するように平板状に形成した前側支持部材２１を裏側支持部材２３の上方側にスペーサー２４を介して配設している。このスペーサー２４は、前側支持部材２１と裏側支持部材２３との隙間がシート状パッキン１０の厚さよりも広くなるように形成している。
【００２６】
そして、前側支持部材２１と裏側支持部材２３との隙間に、重力方向に沿って収容されるシート状パッキン１０のうち、最下端のパッキン１１ａの下端部を支持するように平板状に形成した下側支持部材２２を裏側支持部材２３の下方側にスペーサー２５を介して配設している。
【００２７】
ところで、この下側支持部材２２は、その上端で最下端のパッキン１１ａの下端部を支持するとともに、そのパッキン１１ａを剥がしたときに残された裏紙１０ｂを裏側支持部材２３と下側支持部材２２との間の隙間に排出するように上端の間口を広げるように形成し、スペーサー２５を介して裏側支持部材２３に配設している。
【００２８】
さらに、前側支持部材２１の下端と下側支持部材２２の上端との間に、最下端のパッキン１１ａの前面が露出する露出部分である取出し部２０ａを形成するように下側支持部材２２が裏側支持部材２３に配設している。これにより、最下端のパッキン１１ａを片手で手前側に引っ張ることで、その上のパッキン１１ｂが前側支持部材２１で押さえられるため、取出し部２０ａから最下端のパッキン１１ａを剥がすことができる。
【００２９】
そして、図２（ｂ）に示すように、最下端のパッキン１１ａを剥がしたときに、今度はそのすぐ上のパッキン１１ｂが取出し部２０ａの位置に達磨落としのように落下するとともに、残された裏紙１０ｂが下側支持部材２２と裏側支持部材２３との隙間に送り出される。
【００３０】
なお、図１中に示す２１ａは、前側支持部材２１に形成した確認孔であって、前側支持部材２１と裏側支持部材２３との隙間に収容されたシート状パッキン１０の残量を視認するための孔である。また、この確認孔２１ａは、パッキン１１ａを剥がしたときに、シート状パッキン１０のそりによって前側支持部材２１に摩擦が発生するが、確認孔２１ａを設けることによりシート状パッキン１０が落下する際の抵抗に対応している。
【００３１】
次に、補充用トレー部３０は、補充用シート状パッキン１０ａを設置する段取り作業のための補充用トレーであって、図４に示すように、裏側支持部材２３に対して傾斜した平板状に形成した補充用トレー３０ａを前側支持部材２１と裏側支持部材２３との上方に設けている。そして、その補充用トレー３０ａは、その面に設置した補充用シート状パッキン１０ａの最下端が、最下端のパッキン１１ａを剥がしたときに、シート状パッキン１０の最上端のパッキン１１ｃに隣接する位置に落下するように構成している。
【００３２】
つまり、補充用シート状パッキン１０ａは、支持部２０に収容させたシート状パッキン１０が使い終える前に補充するものであって、シート状パッキン１０を使用している間に、補充用トレー３０ａに補充用シート状パッキン１０ａを設置することにより、シート状パッキン１０に連なって支持部２０に送られるようにしている。
【００３３】
これにより、補充用シート状パッキン１０ａを設置する段取り作業はシート状パッキン１０を使用している間に行うことができる。従って、本実施形態における段取り作業は、剥離作業の中途で補充用シート状パッキン１０ａを補充用トレー３０ａに設置するのみである。
【００３４】
なお、本実施形態では、露出部分である取出し部２０ａを前側支持部材２１の下端と下側支持部材２２の上端との間に形成したが、これに限らず、前側支持部材２１を下方側に延ばして長く形成し、最下端のパッキン１１ａの前面が露出する位置に取出し部２０ａである開口部を形成しても良い。
【００３５】
次に、以上の構成によるパッキン剥離装置の作用について図２および図４に基いて説明する。支持部２０にシート状パッキン１０を収容した形態が図２（ａ）に示す状態であって、シート状パッキン１０は、前側支持部材２１と裏側支持部材２３との隙間に収容されて、その最下端のパッキン１１ａの下方端が下側支持部材２２に支持されている。
【００３６】
そして、その最下端のパッキン１１ａを片手で引っ張ると、図２（ｂ）に示すように、その上のパッキン１１ｂが前側支持部材２１で押さえられるため、取出し部２０ａから最下端のパッキン１１ａを剥がすことができる。
【００３７】
そして、そのときに、今度はそのすぐ上のパッキン１１ｂが取出し部２０ａの位置に達磨落としのように落下するとともに、残された裏紙１０ｂが下側支持部材２２と裏側支持部材２３との隙間に送り出される。これにより、また、取出し部２０ａに次のパッキン１１ｂが自動的に設置されることになる。
【００３８】
そして、個々のパッキン１１を順番に剥がしていくと、シート状パッキン１０の最後のひとつが取出し部２０ａに設置される。このときは、すぐ上のパッキン１１ａが補充用シート状パッキン１０ａの最下端のパッキン１１ａであるため、裏紙１０ｂがこの部分で連なっていないため、最後のひとつを剥がすときは、裏紙１０ｂが下側支持部材２２で押さえられることでパッキン１１ａを剥がすことができる。
【００３９】
なお、このときには、最後のひとつのすぐ上には次のシート状パッキン１０が収容されている。これにより、シート状パッキン１０から個々のパッキン１１を片手で剥がすことができるとともに、残された裏紙１０ｂが下側支持部材２２と裏側支持部材２３との隙間に排出することができる。
【００４０】
次に、補充用シート状パッキン１０ａを設置する段取り作業では、支持部２０にシート状パッキン１０が収容された状態のときに、補充用トレー３０ａに補充用シート状パッキン１０ａを設置するのみで良い。
【００４１】
つまり、補充用トレー３０ａに補充用シート状パッキン１０ａを設置しておくと、図４に示すように、補充用シート状パッキン１０ａの最下端が、支持部２０側の最下端のパッキン１１ａを剥がしたときに、シート状パッキン１０の最上端のパッキン１１ｃに隣接する位置に落下して、以下、個々のパッキン１１を剥がすごとに順次支持部２０側に送り込まれるようになる。これにより、段取り作業が大幅に短縮されることになる。
【００４２】
以上の第１実施形態によるパッキン剥離装置によれば、前側支持部材２１は、シート状パッキン１０が下側支持部材２２によって支持されている状態のときに、最下端のパッキン１１ａの前面を露出するようになっており、取出し部２０ａから最下端のパッキン１１ａを剥がすときに、そのすぐ上のパッキン１１ｂが前側支持部材２１によって支持されることで、取出し部２０ａからパッキン１１ａを剥がすことが可能であるとともに、そのパッキン１１ａを剥がしたときに、今度はそのすぐ上のパッキン１１ｂが取出し部２０ａに対応する位置に落下するように構成している。
【００４３】
これによれば、パッキン１１ａを片手で剥がすことが容易にできる。従って、両手で行うよりも片手で行う方が剥離作業の作業時間の短縮が図れる。また、パッキン１１ａを剥がしたときに、そのすぐ上のパッキン１１ｂが取出し部２０ａに対応する位置に落下するように構成されたことにより、送り装置などの複雑な送り機構を必要とせず、例えば、パッキン１１ａを取り出したときにすぐ上のパッキン１１ｂが、達磨落としのように落ちるようにすればよいため、前側支持部材２１と裏側支持部材２３とが簡素な構造で構成できる。
【００４４】
また、下側支持部材２２は、最下端のパッキン１１ａを剥がしたときに、残された裏紙１０ｂを排出するように構成されたことにより、作業者が直接裏紙１０ｂに触れることなく残された裏紙１０ｂを容易に排出することができる。
【００４５】
シート状パッキン１０は、前側支持部材２１と裏側支持部材２３との間に、最下端のパッキン１１ａの下端部が重力方向に向けて収容されていることにより、シート状パッキン１０の三面のうち、少なくとも最下端のパッキン１１ａの下端部を支持するように構成することで、次に剥がされるパッキン１１ｂが同じ取出し部２０ａに配置させることができる。
【００４６】
なお、下側支持部材２２は、上端が最下端のパッキン１１ａの下端部を支持するように形成され、さらに残された裏紙１０ｂが浸入しやすいように形成されていることにより、パッキン１１ａの下端部を支持する上端を、さらに間口が広がるように形成することで残された裏紙１０ｂを容易に浸入させることができる。
【００４７】
また、シート状パッキン１０の最後の一つを剥がすときは、前側支持部材２１で押さえることができないが、このときは下側支持部材２２で裏紙１０ｂ側が引っ張れないようにすることで、パッキン１１ａを片手で剥がすことが容易にできる。
【００４８】
また、補充用トレー部３０は、最下端のパッキン１１ａを剥がしたときに、補充用シート状パッキン１０ａの最下端が、シート状パッキン１０の最上端のパッキン１１ｃに隣接する位置に落下するように構成されたことにより、剥離作業中に補充用シート状パッキン１０ａを補充するための段取り作業ができるとともに、その段取り作業が補充用トレー部３０に補充用シート状パッキン１０ａを設置するだけで良い。これにより、段取り作業の大幅な短縮化が図れる。
【００４９】
また、前側支持部材２１は、シート状パッキン１０の残量が視認できるように形成していることにより、シート状パッキン１０の残量度合いが視覚により容易に検出できるとともに、補充用シート状パッキン１０ａを配置する段取り作業のタイミングが容易に検出できる。
【００５０】
（第２実施形態）
以上の第１実施形態では、露出部分である取出し部２０ａを一つのパッキン１１ａを取り出すように形成したが、これに限らず、図５に示すように、最下端のパッキン１１ａとそのすぐ上のパッキン１１ｂとの２枚分を一度に剥がすように取出し部２０ａを形成しても良い。
【００５１】
これによれば、２枚のパッキン１１を片手で一度に剥がすことができる。なお、２枚分とは限定せず、２枚以上の複数枚のパッキン１１を片手で一度に剥がすように形成しても良い。なお、取出し部２０ａの形状を取り出すパッキン１１の数に応じて調節できるように形成させても良い。
【００５２】
（他の実施形態）
以上の実施形態では、同一種類のシート状パッキン１０を収容して剥がすように構成したが、これに限らず、図６に示すように、シート状パッキン１０を複数列に収容するように支持部２０を形成するとともに、複数列の取出し部２０ａを形成して種類の異なるシート状パッキン１０を収容して剥がすように構成しても良い。これによれば、パッキン剥離装置を小型にできるとともに装置の省設置スペースが図れる。
【図面の簡単な説明】
【００５３】
【図１】本発明の第１実施形態におけるパッキン剥離装置の全体構成を示す斜視図である。
【図２】（ａ）は本発明の第１実施形態における主要部の構成を示す縦断面図、（ｂ）はパッキン１１ａを剥がしたときのシート状パッキン１０の落下形態を説明する説明図である。
【図３】本発明の第１実施形態におけるシート状パッキン１０の構成を示す模式図である。
【図４】本発明の第１実施形態における補充用トレー部３０の構成を縦断面図である。
【図５】本発明の第２実施形態におけるパッキン剥離装置の全体構成を示す斜視図である。
【図６】他の実施形態におけるパッキン剥離装置の全体構成を示す斜視図である。
【図７】（ａ）は従来技術における剥離作業の作業手順を示す斜視図、（ｂ）は段取り作業の作業手順を示す斜視図である。
【符号の説明】
【００５４】
１０…シート状パッキン
１０ａ…補充用シート状パッキン
１１…パッキン
１１ａ…最下端のパッキン
１１ｂ…最下端のすぐ上のパッキン
１１ｃ…最上端のパッキン
２０ａ…取出し部（露出部分）
２１…前側支持部材
２２…下側支持部材
２３…裏側支持部材
３０…補充用トレー部
【図１】
2006256847.tif 000003
【図２】
2006256847.tif 000004
【図３】
2006256847.tif 000005
【図４】
2006256847.tif 000006
【図５】
2006256847.tif 000007
【図６】
2006256847.tif 000008
【図７】
2006256847.tif 000009